(57)【要約】【課題】布団掃除の効率化を図ることができる布団用電気掃除機を提供すること。【解決手段】布団用電気掃除機１では、敷布団Ｓと掛布団Ｋとの間での本体２の移動中において、電動送風機４４の吸引力によって、底面１７の吸込口８から、敷布団Ｓの塵埃が風路４１に吸引され、天面４の吸込口８から、掛布団Ｋの塵埃が風路４１に吸引されるので、敷布団Ｓと掛布団Ｋとを、重ねて敷かれた状態で、一度に掃除することができる。敷布団Ｓに沿った本体２の移動をガイドするために本体２に設けられた一対の脚部１８のそれぞれの底面１８Ａにおいて敷布団Ｓに隣接する位置には、風路４１に連通する補助吸込口３５が形成されている。敷布団Ｓから床面Ｘにこぼれた塵埃は、電動送風機４４の吸引力によって、補助吸込口３５から風路４１に吸引されるので、布団を掃除するのと同時に、床面Ｘにおいて掛布団Ｋからこぼれた塵埃が存在する部分も掃除することができる。【選択図】図６
2010194122.tif 000002
【特許請求の範囲】
【請求項１】
敷布団に対し、幅方向に対向し得る第１面と、掛布団に対し、幅方向に対向し得る第２面とを有する本体と、
前記第１面および前記第２面のそれぞれに形成された第１吸込口および第２吸込口と、
前記本体に設けられ、吸引力を発生する電動送風機と、
前記第１吸込口および前記第２吸込口と前記電動送風機とをつなぐ風路と、
前記本体を、予め定める方向へ予め定める速度で移動させるための移動手段と、
前記本体に設けられ、敷布団と掛布団との間での前記本体の移動方向に対する直交方向において敷布団を挟み、敷布団と掛布団との間における、敷布団に沿った前記本体の移動をガイドするための一対のガイド部と、
各前記ガイド部の底面において敷布団に隣接する位置に形成され、前記風路に連通する第３吸込口と、
を含むことを特徴とする、布団用電気掃除機。
【請求項２】
各前記ガイド部の底面において前記第３吸込口を縁取る部分に植立されたブラシを含むことを特徴とする、請求項１記載の布団用電気掃除機。
【請求項３】
前記第１吸込口、前記第２吸込口および前記第３吸込口における任意の吸込口のみから吸込が行われるように、前記風路を切換えることのできる切換手段を含むことを特徴とする、請求項１または２記載の布団用電気掃除機。
【発明の詳細な説明】
【技術分野】
【０００１】
この発明は、布団用電気掃除機に関する。
【背景技術】
【０００２】
一般的な床掃除用の電気掃除機に装着され、布団を掃除するために用いられる吸込具が知られている（下記特許文献１〜３参照）。
特許文献１に記載の吸込具は、電気掃除機に接続される接続管と、接続管に固定された筒体と、筒体外周に遊嵌される網状の回転部材とを含んでいる。この吸込具を布団に沿って動かすと、吸込具では、回転部材が布団に接触することで回転する。そのため、吸込具は、布団に引っ掛かることなく、電気掃除機の吸引力によって布団の塵埃を吸い込むことができる。
【０００３】
特許文献２に記載の吸込具は、長管形状の吸い込みノズル本体を含んでいる。吸い込みノズル本体には、その長手方向に沿って細長い溝状の吸い込み口が形成されている。吸い込み口が布団表面に沿うように吸い込みノズル本体を移動させると、布団のような面積の広い被掃除物を掃除することができる。
特許文献３に記載の吸込具は、電気掃除機に接続される回転パイプと、互いに対向した状態で回転パイプに取り付けられたシート状の上吸込部および下吸込部とを含んでいる。上吸込部および下吸込部は、ともに、一般的な布団よりも若干大きい面積を有している。上吸込部および下吸込部のそれぞれの対向面には、多数の吸込穴が形成されている。上吸込部と下吸込部との間に布団を挟んで電気掃除機を起動すると、布団の塵埃は、上吸込部および下吸込部のそれぞれの吸込穴に吸引され、回転パイプ内を通過した後に、電気掃除機に吸い込まれる。
【先行技術文献】
【特許文献】
【０００４】
【特許文献１】特開平８−３３２１６４号公報
【特許文献２】特開平４−８４９２３号公報
【特許文献３】特開２００７−７３５９号公報
【発明の概要】
【発明が解決しようとする課題】
【０００５】
一般的に、１組の布団（組布団）には、敷布団および掛布団が含まれている。そのため、組布団を掃除する場合には、敷布団および掛布団の両方を掃除する必要がある。
ここで、特許文献１〜３に記載の吸込具を用いて組布団を掃除する場合には、まず、吸込具を電気掃除機に装着し、その後、敷布団および掛布団のうちいずれか一方を掃除してから残りの布団を掃除するといった作業が行われる。つまり、特許文献１〜３に記載の吸込具では、敷布団および掛布団の両方を一度に掃除することができない。さらに、特許文献１〜３に記載の吸込具を用いる場合には、これらの吸込具を適正に使えるように布団を動かす必要があり、布団を敷いたままの状態で掃除することができない。
【０００６】
そして、組布団において、敷布団の上面には、塵埃（たとえば、ハウスダストや、敷布団で寝た人から出た角質化した皮膚も含む。）が溜まり易い。そして、敷布団の上面に溜まった塵埃のうち、一部が、敷布団で寝ている人の寝返り等によって、敷布団から、敷布団の幅方向（短手方向）における敷布団の側方の床面にこぼれることがある。この場合、敷布団を掃除した後に、別途、吸込具を敷布団から床面へ移して、床面において敷布団からこぼれた塵埃が存在する部分を掃除せねばならず、手間が掛かる。
【０００７】
以上のように、特許文献１〜３に記載の吸込具を用いる場合には、布団掃除の効率化を図ることが困難である。
この発明は、かかる背景のもとになされたもので、布団掃除の効率化を図ることができる布団用電気掃除機を提供することを目的とする。
【課題を解決するための手段】
【０００８】
請求項１記載の発明は、敷布団に対し、幅方向に対向し得る第１面と、掛布団に対し、幅方向に対向し得る第２面とを有する本体と、前記第１面および前記第２面のそれぞれに形成された第１吸込口および第２吸込口と、前記本体に設けられ、吸引力を発生する電動送風機と、前記第１吸込口および前記第２吸込口と前記電動送風機とをつなぐ風路と、前記本体を、予め定める方向へ予め定める速度で移動させるための移動手段と、前記本体に設けられ、敷布団と掛布団との間での前記本体の移動方向に対する直交方向において敷布団を挟み、敷布団と掛布団との間における、敷布団に沿った前記本体の移動をガイドするための一対のガイド部と、各前記ガイド部の底面において敷布団に隣接する位置に形成され、前記風路に連通する第３吸込口と、を含むことを特徴とする、布団用電気掃除機である。
【０００９】
請求項２記載の発明は、各前記ガイド部の底面において前記第３吸込口を縁取る部分に植立されたブラシを含むことを特徴とする、請求項１記載の布団用電気掃除機である。
請求項３記載の発明は、前記第１吸込口、前記第２吸込口および前記第３吸込口における任意の吸込口のみから吸込が行われるように、前記風路を切換えることのできる切換手段を含むことを特徴とする、請求項１または２記載の布団用電気掃除機である。
【発明の効果】
【００１０】
請求項１記載の発明によれば、この布団用電気掃除機では、本体が、第１面において敷布団に対して幅方向に対向し、第２面において掛布団に対して幅方向に対向した状態（つまり敷布団と掛布団との間にある状態）で移動する。本体の移動中において、本体の電動送風機が作動すると、電動送風機が発生した吸引力によって、第１面に形成された第１吸込口から、敷布団の塵埃が本体内の風路に吸引され、第２面に形成された第２吸込口から、掛布団の塵埃が本体内の風路に吸引される。つまり、この布団用電気掃除機を用いることで、敷布団と掛布団とを、重ねて敷かれた状態で、一度に掃除することができる。これにより、布団掃除の効率化を図ることができる。
【００１１】
また、本体に設けられた一対のガイド部は、本体の移動方向に対する直交方向において敷布団を挟み、敷布団と掛布団との間における、敷布団に沿った本体の移動をガイドするので、本体は、敷布団と掛布団との間において、この間からはみ出ることなく、円滑に移動することができる。
ここで、各ガイド部の底面において敷布団に隣接する位置には、風路に連通する第３吸込口が形成されている。そのため、第３吸込口は、敷布団が敷かれた床面において前記直交方向で敷布団に隣接した部分に対向することができるので、敷布団からこの部分にこぼれた塵埃は、布団用電気掃除機が布団を掃除する際に、電動送風機が発生した吸引力によって、第３吸込口から本体内の風路に吸引される。つまり、この布団用電気掃除機は、布団を掃除するのと同時に、床面において掛布団からこぼれた塵埃が存在する部分を掃除することもできる。これにより、布団掃除の効率化を図ることができる。
【００１２】
請求項２記載の発明によれば、各ガイド部の底面において第３吸込口を縁取る部分に植立されたブラシが、掛布団からこぼれて床面に付着した塵埃をこすって床面から剥がす。そのため、この布団用電気掃除機では、掛布団から床面にこぼれた塵埃を、床面に付着した塵埃であっても、第３吸込口から本体内の風路に確実に吸引することができる。
請求項３記載の発明によれば、切換手段が、第１吸込口、第２吸込口および第３吸込口における任意の吸込口のみから吸込が行われるように、風路を切換えることができる。これにより、第１吸込口、第２吸込口および第３吸込口のそれぞれにおける空気の流れ（塵埃の吸引力）を選択的に強くすることができるので、必要に応じて風路を切換えることで、敷布団、掛布団、床面のうちのいずれかを重点的に掃除することができ、使い勝手が良い。
【図面の簡単な説明】
【００１３】
【図１】敷布団Ｓにセットされた状態にある掃除機１を右前から見た斜視図である。
【図２】図１において、掛布団Ｋが追加された状態を示している。
【図３】掃除状態における敷布団Ｓ、掛布団Ｋおよび掃除機１を右前から見た斜視図である。
【図４】図１における要部右側断面図である。
【図５】図３における要部右側断面図である。
【図６】図５のＡ−Ａ矢視断面図である。
【図７】図６の要部拡大図である。
【図８】変形例１に係る掃除機１の要部右側面図である。
【図９】変形例２に係る掃除機１の要部右側面図である。
【発明を実施するための形態】
【００１４】
以下には、図面を参照して、この発明の一実施形態としての布団用電気掃除機１について具体的に説明する。
図１は、敷布団Ｓにセットされた状態にある掃除機１を右前から見た斜視図である。
なお、以下で述べる布団（敷布団Ｓおよび後述する掛布団Ｋ）は、水平面に敷かれているものとする。また、図１において、水平面に敷かれた状態にある敷布団Ｓの長手方向を前後方向とし、敷布団Ｓの短手方向を幅方向（左右方向）という（他の図においても同様）。なお、水平方向は、前後方向と幅方向とを含んでいる。
【００１５】
図１を参照して、この掃除機１は、本体２と、レールユニット３とを備えている。
本体２は、幅方向に長手で中空のボックス形状である。本体２は、敷布団Ｓよりも幅広である。本体２の内部には、吸引力を発生する電動送風機（図示せず）が配置されている。
幅方向から見たときの本体２の断面形状は、略三角形状である。つまり、本体２の天面（上面）４（第２面）は、幅方向に長手をし、前後方向における両側に、前後方向中央へ向かうのに従って上側へ傾斜する傾斜面５を有している。前側の傾斜面５を前傾斜面５Ａとし、後側の傾斜面５を後傾斜面５Ｂとすると、前傾斜面５Ａは、後上側へ傾斜しており、後傾斜面５Ｂは、前上側へ傾斜している。そして、前傾斜面５Ａの上（後）端部と後傾斜面５Ｂの上（前）端部とが互いに接続されている。前傾斜面５Ａの上（後）端部と後傾斜面５Ｂの上（前）端部との接続部分は、幅方向から見て、上側へ膨出する円弧状をなしており、尖っていない。このように、天面４は、前後方向（幅方向に対する直交方向）に、上述した接続部分（上面中央部）が最も高くなるように前後方向に所定（詳しくは後述するように４５°以下）の傾斜角度を有する２平面（前傾斜面５Ａおよび後傾斜面５Ｂ）を含んでいる。
【００１６】
前傾斜面５Ａの上端部と後傾斜面５Ｂの上端部との接続部分には、幅方向に長手の凹み６が形成されている。凹み６の幅方向寸法は、敷布団Ｓの幅方向寸法とほぼ同じである。凹み６には、幅方向に長手の３つの円筒体９が、幅方向に並んだ状態で、上側から嵌め込まれている。各円筒体９の幅方向寸法は、凹み６の幅方向寸法の略３分の１である。各円筒体９において、凹み６から上側へ露出された部分には、小吸込口１０が形成されている。小吸込口１０は、幅方向に細長い多数のスリット１１によって構成されている（左端に位置する円筒体９の小吸込口１０を参照）。各小吸込口１０の幅方向における全体寸法は、一般的な掃除機の床用吸込具の吸込口と同様に、３０ｃｍ前後となっている。
【００１７】
小吸込口１０は、円筒体９内に連通しており、各円筒体９の内部空間は、その下部において、本体２の内部に連通している。そのため、小吸込口１０は、円筒体９の内部を介して、本体２の内部に連通している。ここで、円筒体９が幅方向に並んで３つあることからり、本体２では、小吸込口１０が幅方向に並んで３つ形成されていることがわかる。これら３つの小吸込口１０のまとまりを吸込口８というと、吸込口８は、幅方向に長手であり、その長さ方向に３つの小吸込口１０に区画されている。
【００１８】
前傾斜面５Ａの幅方向両側には、幅方向に長手の凹部１３が形成されている。各凹部１３には、ずらしローラ１４（回転体）が上から嵌め込まれている。この状態で、ずらしローラ１４は、本体２によって回転自在に支持されている。ずらしローラ１４は、幅方向に長手であり、吸込口８と平行に設けられている。ずらしローラ１４は、幅方向に沿って延びる軸部１４Ａと、軸部１４Ａの外周面に設けられ、軸部１４Ａの径方向外側へ向かって突出する多数の凸部１４Ｂとを備えている。凸部１４Ｂは、ゴム等の弾性体で形成されている。凹部１３から本体２の外側へ露出された位置にある凸部１４Ｂは、前傾斜面５Ａよりも前上側へ突出している（後述する図４も参照）。
【００１９】
前傾斜面５Ａにおいて、右側のずらしローラ１４の右側には、スイッチ１５が設けられている。スイッチ１５をＯＮにすることで、本体２が運転可能な状態となる。なお、本体２を運転させるための電力は、コード１６を介して、図示しない電源（コンセント等）から本体２に供給される。なお、電源（図示せず）につながったコード１６は、後述する変形例１のように、本体２のスタンド６１（後述する図８参照）を経由してから本体２に接続されてもよい。
【００２０】
そして、本体２の底面１７（第１面）は、幅方向に長手をしたほぼ平面からなり、詳しくは、略水平方向に平坦である。底面１７の前端と前傾斜面５Ａの前（下）端とは一致しており、底面１７の後端と後傾斜面５Ｂの後（下）端とは一致している。天面４と同様に、底面１７にも、幅方向に長手の吸込口８が形成されており、底面１７の吸込口８も、その長さ方向に複数の小吸込口１０に区画されている（図１では図示されておらず、後述する図４ないし図６参照）。ここで、底面１７の吸込口８は、第１吸込口とされ、天面４の吸込口８は、第２吸込口とされる。
【００２１】
底面１７の幅方向両端には、下方へ突出する脚部１８（ガイド部）が一体的に設けられている。左右の脚部１８の幅方向内側面の間隔は、敷布団Ｓの幅よりも広い。各脚部１８は、上下方向に扁平な略直方体形状であり、その幅方向外側面（右側の脚部１８では右側面）は、本体２において幅方向で同じ側にある外側面に対して面一となっている。また、各脚部１８の幅方向内側面（右側の脚部１８では左側面）の下端には、前後方向に延びる溝１９が、脚部１８の前後方向における全域に亘って形成されている。
【００２２】
本体２（脚部１８も含む）の右側面には、本体２内に連通する排気口２０が形成されている。
レールユニット３は、幅方向に間隔を隔てて配置された一対のレール２５と、一対のレール２５の間に架設された梁部材２６とを一体的に備えている。
一対のレール２５の幅方向における間隔は、本体２の左右の脚部１８の幅方向内側面の間隔とほぼ同じである。各レール２５は、前後方向に細長い角柱形状である。各レール２５の上面は、略水平方向に平坦であり、その幅方向内側部分には、ラックギヤ２７が前後方向に沿って形成されている。ラックギヤ２７は、前後方向におけるレール２５の全域に亘って形成されている。そして、一対のレール２５は、それらの間に梁部材２６が架設されることで一体化されている。これにより、一対のレール２５の間隔が一定に保たれ、かつ、一対のレール２５の剛性が確保されている。
【００２３】
この掃除機１で組布団（敷布団Ｓおよび掛布団Ｋ）を掃除する場合、組布団を、敷布団Ｓに掛布団Ｋが重ねられ、かつ、床面Ｘやベッドに敷かれた状態で掃除できる。
まず、敷かれた状態にある組布団（図１では敷布団Ｓのみが図示されている。）に対して掃除機１をセットする。詳しくは、敷かれた状態にある敷布団Ｓにレールユニット３をセットする。これにより、敷布団Ｓの幅方向両側に（換言すれば、敷かれた状態にある敷布団Ｓを挟むように）レール２５が配置され、敷布団Ｓの下側に梁部材２６が配置される。
【００２４】
次いで、左右のレール２５の後端部（図１における奥側の端部）に、上から架け渡されるように、本体２をセットする。この状態で、本体２の各脚部１８の溝１９に、幅方向で同じ側にあるレール２５が下から嵌る。これにより、本体２は、幅方向において長手となった状態で、本体２の幅方向両側で前後方向（本体２の幅方向と直交方向）に延びる一対レール２５に下から支持され、前後方向にスライド自在である。つまり、左右一対のレール２５は、本体２の前後移動をガイドする。
【００２５】
この状態で、本体２の底面１７において左右の脚部１８に挟まれた部分は、敷布団Ｓの上面に対して、僅かな隙間を隔てて上から対向している。また、左側の脚部１８は、敷布団Ｓの左縁部に対して僅かな隙間を隔てて左側から対向しており、右側の脚部１８は、敷布団Ｓの右縁部に対して僅かな隙間を隔てて右側から対向している。そして、左右の脚部１８のそれぞれの底面１８Ａ（レール２５に接触している部分は除く）は、僅かな隙間を隔てて、敷布団Ｓが敷かれた床面Ｘ（ベッド等において敷布団Ｓが敷かれる面も含む。以下同じ。）に対して上から対向している。
【００２６】
また、この状態で、上述したように本体２において底面１７の前端と前傾斜面５Ａの前（下）端とが一致していることから、この状態で、底面１７および前傾斜面５Ａの各前端は、敷布団Ｓの上面の僅か上側に位置している。そして、このようにレール２５の後端部にあるときの本体２の前後方向の位置を、後退位置という。
図２は、図１において、掛布団Ｋが追加された状態を示している。
【００２７】
図２では、敷布団Ｓに加えて、掛布団Ｋも示されている。図１と同様に、図２においても本体２は後退位置にある。後退位置にある本体２は、掛布団Ｋよりも後側（図２における奥側であり、枕が配置される側）に位置している。上述したように、本体２において、底面１７および前傾斜面５Ａの各前端は、敷布団Ｓの上面の僅か上側に位置していることから、換言すれば、重ねられた状態にある敷布団Ｓと掛布団Ｋとの間の近傍に位置している。
【００２８】
図３は、掃除状態における敷布団Ｓ、掛布団Ｋおよび掃除機１を右前から見た斜視図である。
組布団の掃除を開始する場合、後退位置にあった本体２が、運転されて前側（図３における手前側）へスライドする。ここで、上述したように、掃除開始前では（図２参照）、本体２において、底面１７および前傾斜面５Ａ（天面４）の各前端は、重ねられた状態にある敷布団Ｓと掛布団Ｋとの間の近傍に位置している。そのため、掃除開始によって前側へスライドした本体２は、底面１７および前傾斜面５Ａ（天面４）の各前端が敷布団Ｓと掛布団Ｋとの間に後側から進入することによって、図３に示すように、重ねて敷かれた状態にある敷布団Ｓと掛布団Ｋとの間に潜り込み（挿入され）、敷布団Ｓと掛布団Ｋとの間で前進する。
【００２９】
本体２が敷布団Ｓと掛布団Ｋとの間にある状態では、本体２では、底面１７（図２も参照）が、敷布団Ｓの上面に対して上から幅方向全域に亘って対向しており、底面１７の吸込口８（図示せず）が、敷布団Ｓの上面に対して上から対向している。これと同時に、本体２では、天面４が、掛布団Ｋの下面に下から幅方向全域に亘って対向しており、天面４の吸込口８（図２参照）が、掛布団Ｋの下面に下から対向している。この状態で、本体２の右側面は、敷布団Ｓと掛布団Ｋとの間から右側へ露出されている。
【００３０】
本体２が敷布団Ｓと掛布団Ｋとの間で移動している最中では、本体２内の上述した電動送風機（図示せず）が作動して吸引力を発生させている。この吸引力によって、敷布団Ｓに付着した塵埃（ダニの死骸等のハウスダストや、人から出た角質化した皮膚も含まれる。）が、本体２の底面１７の吸込口８（図示せず）から、本体２内（詳しくは後述する風路４１であり、図５参照）に吸い込まれ、同時に、掛布団Ｋに付着した塵埃が、本体２の天面４の吸込口８（図２参照）から、本体２内（図５に示す風路４１）に吸い込まれる。各吸込口８から本体２内に塵埃とともに吸い込まれた空気は、本体２の右側面の排気口２０から排出される。このように、この掃除機１を用いれば、組布団（敷布団Ｓおよび掛布団Ｋ）を、床面Ｘに重ねて敷いたままの状態で、一度に掃除することができる。これにより、布団掃除の効率化を図ることができる。特に、各布団では、就寝中の人に接する部分（敷布団Ｓでは上面であり、掛布団Ｋでは下面）が重点的に掃除されることとなる。
【００３１】
そして、前側へスライドしていた本体２が、図示していないが、各レール２５の前端（図１参照）まで前進すると（このときの本体２の位置を前進位置という。）、本体２の天面４の吸込口８（図２参照）は、掛布団Ｋの下面のほぼ全域に対向したことになる。同様に、本体２の底面１７の吸込口８（図示せず）は、敷布団Ｓの上面のほぼ全域に対向したことになる。
【００３２】
前進位置に到達した本体２は、後退位置（図２参照）へ向けて後進する。この際、本体２は、底面１７および後傾斜面５Ｂ（天面４）の各後端が敷布団Ｓと掛布団Ｋとの間に前側から進入することによって、敷布団Ｓと掛布団Ｋとの間に引き続き潜り込み、敷布団Ｓと掛布団Ｋとの間で後進する。そして、本体２は、後退位置に到達すると、前進位置へ向けて、敷布団Ｓと掛布団Ｋとの間で再び前進する。
【００３３】
このように、本体２は、所定時間の間、後退位置と前進位置との間での前後進を複数回繰り返す。これにより、敷布団Ｓおよび掛布団Ｋのそれぞれに付着した塵埃のほとんどが、本体２の天面４および底面１７の各吸込口８（図２参照）から本体２内に吸い込まれ、敷布団Ｓおよび掛布団Ｋがほぼ完全に掃除される。
なお、本体２の進行速度（前後進の速度）は、低速（たとえば、１〜２ｃｍ／秒）に設定されており、一度の掃除で、少なくとも１時間以上、自動的に前後進を繰り返す。これにより、敷布団Ｓおよび掛布団Ｋのそれぞれが前後方向において満遍なく掃除される。掃除機１による布団の掃除は、たとえば、掃除機１の所有者が外出中のときに行われたり、介護施設や病院において患者が診察中にあるとき等に行われたりする。また、夫婦が共働きで子供が塵埃（ハウスダスト）に対してアレルギー症状を有している家庭において、両親が仕事中に、掃除機１で子供の布団を自動的に掃除することも、この掃除機１の使用形態として、想定されている。
【００３４】
そして、このように本体２が敷布団Ｓと掛布団Ｋとの間において後退位置と前進位置との間で前後進する際、左右の脚部１８が、常に、敷布団Ｓを幅方向から挟んでいる（図２参照）。つまり、左右一対の脚部１８は、幅方向（本体２の移動方向に対する直交方向）において敷布団Ｓを挟んでいることから、敷布団Ｓと掛布団Ｋとの間における、敷布団Ｓに沿った本体２の前後移動をガイドしている。そのため、本体２は、敷布団Ｓと掛布団Ｋとの間において、この間からはみ出ることなく、円滑に移動することができる。
【００３５】
ここで、上述したように、左右の脚部１８のそれぞれの底面１８Ａは、僅かな隙間を隔てて、床面Ｘ（詳しくは、敷布団Ｓに対して幅方向外側から隣接する部分）に対して上から対向している。そのため、本体２が後退位置と前進位置との間を一通り移動すると、左側の脚部１８の底面１８Ａは、床面Ｘにおいて敷布団Ｓに対して左側から隣接する部分（左隣接面ＸＬといい、後述する図６参照）の前後方向全域に対して対向することとなる。これと同時に、右側の脚部１８の底面１８Ａは、床面Ｘにおいて敷布団Ｓに対して右側から隣接する部分（右隣接面ＸＲといい、図６参照）の前後方向全域に対して対向することとなる。
【００３６】
図４は、図１における要部右側断面図である。
図４を参照して、本体２について詳しく説明する。
まず、上述した前傾斜面５Ａの水平面（本体２の移動方向（前後方向）に沿う面）に対する傾斜角度α、および、上述した後傾斜面５Ｂの水平面に対する傾斜角度βは、ともに、４５°以下、好ましくは３０°であるとよい。そうすれば、幅方向から見たときの本体２（脚部１８を除く部分）の断面形状が、本体２を移動方向に沿うように上下方向に扁平な三角形状となる。
【００３７】
これにより、本体２が前進する際には、本体２の底面１７および前傾斜面５Ａ（天面４）の各前端が敷布団Ｓと掛布団Ｋ（図３参照）との間に後側から円滑に進入できるので、本体２は、掛布団Ｋに引っ掛かって止まることなく、敷布団Ｓと掛布団Ｋとの間で円滑に前進できる。同様に、本体２が後進する際には、本体２の底面１７および後傾斜面５Ｂ（天面４）の各後端が敷布団Ｓと掛布団Ｋとの間に前側から円滑に進入できるので、本体２は、掛布団Ｋに引っ掛かって止まることなく、敷布団Ｓと掛布団Ｋとの間で円滑に後進できる。なお、傾斜角度α、βが３０°より小さすぎると、本体２（脚部１８を除く部分）が上下に薄くなり過ぎてしまい、本体２内に、上述した電動送風機（図示せず）等の部品を配置できなくなってしまうので、傾斜角度α、βは、３０°近傍の値であるとよい。
【００３８】
また、本体２の左右のいずれかの脚部１８の幅方内側面（図１参照）には、ピニオンギヤ２８が回転自在に設けられている。ピニオンギヤ２８の回転軸は、幅方向（図４では紙面に垂直な方向）に延びている。上述したように本体２が各レール２５によって下から支持された状態において、脚部１８のピニオンギヤ２８が、幅方向で同じ側にあるレール２５のラックギヤ２７の上方に位置し、このラックギヤ２７に噛み合っている。
【００３９】
この状態で、本体２内に設けられたモータ（図示せず）が駆動されることでピニオンギヤ２８が、図４における反時計回りの方向に回転すると、本体２は、レール２５上を前側（図４における左側）へスライドする。一方、モータ（図示せず）が駆動されることでピニオンギヤ２８が、図４における時計回りの方向に回転すると、本体２は、レール２５上を後側（図４における右側）へスライドする。つまり、ピニオンギヤ２８は、ラックギヤ２７に噛み合った状態で回転することで、レール２５に対して本体２を移動させる。ここで、一対のレール２５と、ラックギヤ２７と、ピニオンギヤ２８とが、本体２を、敷布団Ｓと掛布団Ｋとの間で、予め定める方向へ予め定める速度で移動させる移動手段を構成している。
【００４０】
このように、ラックギヤ２７とピニオンギヤ２８とを用いて本体２を前後にスライドさせる構成を用いれば、本体２が敷布団Ｓと掛布団Ｋとの間で前後移動する場合（図３参照）、布団（特に上側の掛布団Ｋ）が本体２の移動の妨げとなっても、本体２は止まることなく、敷布団Ｓと掛布団Ｋとの間で確実に前後移動することができる。ここで、敷布団Ｓがレールユニット３の梁部材２６に載置されていることから（図１参照）、敷布団Ｓがレールユニット３に対する錘となり、本体２が動かない代わりにレールユニット３が前後に動いてしまうことを防止できる。
【００４１】
また、本体２内には、回転ブラシ２９が配置されている。回転ブラシ２９は、本体２によって回転自在に支持されており、その回転軸は、幅方向に延びている。回転ブラシ２９は、底面１７の吸込口８から、下方（敷布団Ｓ側）に臨んでおり、回転ブラシ２９の下側の毛先は、吸込口８（底面１７）から外方（敷布団Ｓ側であり、下側）へ、たとえば５ｍｍ以上はみ出ている。
【００４２】
図５は、図３における要部右側断面図である。
図５では、本体２が、敷布団Ｓと掛布団Ｋとの間で前側（図５における左側）へスライドしている状態が示されている。
この状態で、本体２の前傾斜面５Ａ（天面４の前側部分）の凹部１３に嵌め込まれたずらしローラ１４が、図５における時計回りの方向へ回転駆動されている。これにより、ずらしローラ１４において前傾斜面５Ａよりも前上側へ突出している凸部１４Ｂが、掛布団Ｋに対して前下側から引っ掛かり、この状態で、ずらしローラ１４の回転に伴って、掛布団Ｋを、本体２の移動方向における上流側、つまり後側（図５における右側）へずらす。これにより、本体２が、掛布団Ｋに対して移動方向下流側（前側）へ相対移動するので、本体２は、敷布団Ｓと掛布団Ｋとの間を円滑に前進できる。つまり、ずらしローラ１４は、本体２の移動（ここでは前進）を補助している。なお、ずらしローラ１４において掛布団Ｋに接触する凸部１４Ｂは、上述したように弾性体で形成されているので、掛布団Ｋが凸部１４Ｂに接触されることで傷付くことはない。
【００４３】
一方、本体２が敷布団Ｓと掛布団Ｋとの間で後進する場合には、ずらしローラ１４は、図５における反時計回りの方向へ回転駆動される。これにより、ローラ１４において前傾斜面５Ａよりも前上側へ突出している凸部１４Ｂが、掛布団Ｋに対して後下側から引っ掛かり、この状態で、ずらしローラ１４の回転に伴って、掛布団Ｋを、本体２の移動方向における上流側、つまり前側へずらす。これにより、本体２が、掛布団Ｋに対して移動方向下流側（後側）へ相対移動するので、本体２は、敷布団Ｓと掛布団Ｋとの間を円滑に後進できる。
【００４４】
また、本体２が敷布団Ｓと掛布団Ｋとの間で移動（前後進）する際には、上述したように下側の毛先が底面１７の吸込口８から下側へはみ出るように本体２内に配置された回転ブラシ２９が回転駆動される。図５では、時計回りの方向へ回転ブラシ２９が回転駆動されている。これにより、回転ブラシ２９において吸込口８から下側へはみ出た毛先が、敷布団Ｓの上面に接触し、回転ブラシ２９の回転に伴って、敷布団Ｓの塵埃を底面１７の吸込口８へ掻き上げるので、敷布団Ｓの塵埃が、吸込口８から本体２内に円滑に吸い込まれる。
【００４５】
掛布団Ｋの塵埃は、その自重によって天面４の吸込口８に落下するので、比較的容易に吸込口８に吸い込まれるが、逆に、敷布団Ｓの塵埃は、その自重によって、敷布団Ｓの上側にある底面１７の吸込口８に到達しづらい。そこで、回転ブラシ２９が回転することで、回転ブラシ２９において底面１７の吸込口８から敷布団Ｓ側へはみ出た毛先が、底面１７の吸込口８より下方に位置する敷布団Ｓの塵埃を底面１７の吸込口８へ向けて掻き上げるので、底面１７の吸込口８では、敷布団Ｓの塵埃を効率的に本体２内に吸引することができる。また、上述したように、回転ブラシ２９の下側の毛先は、吸込口８から下側へ、５ｍｍ以上はみ出ているので、敷布団Ｓに凹んだ部分があっても、回転ブラシ２９のはみ出た毛先が、この凹みにある塵埃を確実に掻き上げることができる。なお、回転ブラシ２９の回転速度は、低く設定されているので（たとえば、１００ｒｐｍ）、回転ブラシ２９の毛先が敷布団Ｓを傷めることはない。
【００４６】
また、本体２の天面４において、吸込口８（小吸込口１０）が形成された各円筒体９に対して、円筒体９と相似した網状の円筒（図示せず）が外嵌されていてもよい。この網状の円筒は、円筒体９に対して相対回転自在であり、本体２が敷布団Ｓと掛布団Ｋとの間で移動する際には、掛布団Ｋに接触することで回転する。そして、この網状の円筒が、円筒体９と掛布団Ｋとの間に介在されることから、円筒体９の吸込口８（小吸込口１０）が掛布団Ｋによって不意に塞がれてしまうことを防止できる。
【００４７】
図６は、図５のＡ−Ａ矢視断面図である。図７は、図６の要部拡大図である。
次に、図６を参照して、本体２内の構造についてさらに説明する。本体２内には、天面４および底面１７の全ての小吸込口１０と排気口２０とを連通させる風路４１が設けられている。
風路４１において、排気口２０の近傍には、上述した電動送風機（符号４４を付した部品を参照）が配置されている。電動送風機４４が作動すると、小吸込口１０から風路４１へ向かう空気の流れが生じる（太い実線矢印を参照）。つまり、風路４１は、天面４および底面１７の各小吸込口１０（吸込口８）と電動送風機４４とをつなぐ風路として機能する。
【００４８】
上述したように、電動送風機４４が作動することで、電動送風機４４が発生する吸引力によって、太い実線矢印で示すように、各小吸込口１０から風路４１を通過して排気口２０から本体２外へ排出される空気の流れが発生する。このとき、各小吸込口１０が、対応する布団（敷布団Ｓまたは掛布団Ｋ）に対向していると、布団に付着した塵埃が、上述した空気の流れによって、太い実線矢印で示すように、各小吸込口１０から本体２内に吸い込まれ、風路４１において電動送風機４４の手前の部分（貯留部４２という。）に溜められる。なお、貯留部４２と電動送風機４４との間には、フィルタ４３が設けられており、貯留部４２の塵埃が電動送風機４４まで到達することがフィルタ４３によって阻止されている。
【００４９】
ここで、左右の脚部１８のそれぞれの底面１８Ａの幅方向内側端部（詳しくは、底面１８Ａにおいて、溝１９に嵌ったレール２５よりも幅方向内側の部分に相当し、敷布団Ｓに幅方向で隣接する位置）に、補助吸込口３５（第３吸込口）が形成されている。
上述した風路４１の一部は、左右の脚部１８の補助吸込口３５まで延びている。換言すれば、左右の脚部１８の補助吸込口３５は、風路４１に連通している。よって、図７を参照して、上述した電動送風機４４の吸引力が発生すると、各小吸込口１０から風路４１を経て排気口２０へ向かう空気の流れ（太い実線矢印参照）の他に、各補助吸込口３５から風路４１を経て排気口２０へ向かう空気の流れ（太い破線矢印参照）も発生する。
【００５０】
上述したように、本体２が後退位置と前進位置との間を一通り移動すると、左側の脚部１８の底面１８Ａは、床面Ｘの左隣接面ＸＬ（図７には図示されず、図６参照）の前後方向全域に対して対向することとなり、右側の脚部１８の底面１８Ａは、床面Ｘの右隣接面ＸＲの前後方向全域に対して対向することとなる。
ここで、左隣接面ＸＬおよび右隣接面ＸＲには、布団（特に敷布団Ｓの上面）からこぼれた塵埃が存在し得る。特に、左隣接面ＸＬおよび右隣接面ＸＲは、敷布団Ｓと対応するレール２５とによって挟まれた部分なので、塵埃が溜まりやすい。図７では、右隣接面ＸＲに溜まった塵埃に、符号Ｄが付されている。
【００５１】
しかし、上述した布団の掃除に伴って本体２が後退位置と前進位置との間で移動すると、左側の脚部１８の底面１８Ａに形成された補助吸込口３５（図６参照）が、左隣接面ＸＬ（図６参照）の前後方向全域に対して対向し、その際に、左隣接面ＸＬの前後方向全域に溜まった塵埃Ｄは、電動送風機４４の吸引力によって、この補助吸込口３５から風路４１に吸い込まれる。
【００５２】
同様に、右側の脚部１８の底面１８Ａに形成された補助吸込口３５が、右隣接面ＸＲの前後方向全域に対して対向し、その際に、右隣接面ＸＲの前後方向全域に溜まった塵埃Ｄは、電動送風機４４の吸引力によって、補助吸込口３５から風路４１に吸い込まれる。
風路４１に吸い込まれた塵埃Ｄは、上述した貯留部４２に溜められる。
このように、敷布団Ｓから左隣接面ＸＬ（図６参照）および右隣接面ＸＲにこぼれた塵埃Ｄは、掃除機１が布団を掃除する際に、電動送風機４４が発生した吸引力によって、対応する補助吸込口３５から本体２内の風路４１に吸引される。つまり、この掃除機１は、布団を掃除するのと同時に、床面Ｘにおいて掛布団Ｋからこぼれた塵埃Ｄが存在する部分を掃除することもできる。換言すれば、布団を掃除した後に、本発明の布団用電気掃除機１とは別の通常の床掃除用の掃除機を持ち出してきて床面Ｘ（左隣接面ＸＬおよび右隣接面ＸＲ）を掃除せずに済む。これにより、布団掃除の効率化を図ることができる。
【００５３】
ここで、各脚部１８の底面１８Ａにおいて、補助吸込口３５を縁取る部分（詳しくは、底面１８Ａの幅方向内側端縁と幅方向においてほぼ一致する部分）には、床面Ｘへ向かって下方に延びるブラシ４５が植立されている。本体２が後退位置と前進位置との間で移動する際に、ブラシ４５が床面Ｘに摺動する。
これにより、敷布団Ｓからこぼれて床面Ｘ（左隣接面ＸＬおよび右隣接面ＸＲ）にこびりついた塵埃Ｄ（塵埃Ｄが、角質化した皮膚であると、特に床面Ｘにこびりつきやすい。）がブラシ４５によってこすられることで床面Ｘから剥がれる。そして、床面Ｘから剥がれた塵埃Ｄは、上述したように、補助吸込口３５から風路４１に吸い込まれる。つまり、この掃除機１では、掛布団Ｋから床面Ｘにこぼれた塵埃Ｄを、床面Ｘに付着した塵埃であっても、補助吸込口３５から本体２内の風路４１に確実に吸引することができる。
【００５４】
また、ブラシ４５と、幅方向で同じ側にあるレール２５とによって、左隣接面ＸＬおよび右隣接面ＸＲのそれぞれ（図７では右隣接面ＸＲ）が幅方向から挟まれる。これにより、塵埃Ｄが配置されて補助吸込口３５に連通する狭い空間４６を区画することができる。その結果、補助吸込口３５から風路４１へ向かう空気の流れ（太い破線矢印参照）の勢い、換言すれば、補助吸込口３５における吸引力が強くなり、この空間４６の塵埃Ｄは、効果的に補助吸込口３５から風路４１に吸い込まれる。
【００５５】
そして、図６に示すように、本体２に、弁４７を設けてもよい。弁４７は、風路４１と天面４の各小吸込口１０とを連通させる部分を開閉する第１弁４７Ａと、風路４１と底面１７の各小吸込口１０とを連通させる部分を開閉する第２弁４７Ｂと、風路４１と各補助吸込口３５とを連通させる部分を開閉する第３弁４７Ｃとを含んでいる。なお、図６では、全ての弁４７が閉じた状態が示されている。ただし、上述したように布団の掃除と床面Ｘの掃除とを同時に行う場合には、全ての弁４７は、開かれている。
【００５６】
各弁４７の開閉は、本体２に内蔵され、マイクロコンピュータなどで構成された制御手段（図示せず）によって制御される。ここで、各弁４７および制御手段（図示せず）が切換手段として機能している。
制御手段（図示せず）の制御により各弁４７が開閉することによって、天面４および底面１７の各小吸込口１０、ならびに、各補助吸込口３５における任意の吸込口のみから吸込が行われるように風路４１が切換わる。
【００５７】
詳しくは、第２弁４７Ｂおよび第３弁４７Ｃが閉じている一方で、第１弁４７Ａだけが開いていると、天面４の各小吸込口１０のみから吸込が行われるように風路４１が切換わる。また、第１弁４７Ａおよび第３弁４７Ｃが閉じている一方で、第２弁４７Ｂだけが開いていると、底面１７の各小吸込口１０のみから吸込が行われるように風路４１が切換わる。そして、第１弁４７Ａおよび第２弁４７Ｂが閉じている一方で、第３弁４７Ｃだけが開いていると、補助吸込口３５のみから吸込が行われるように風路４１が切換わる。
【００５８】
これにより、天面４および底面１７の各小吸込口１０、ならびに、各補助吸込口３５のそれぞれにおける空気の流れ（塵埃の吸引力）を選択的に強くすることができる。そのため、必要に応じて風路４１を切換えることで、敷布団Ｓ、掛布団Ｋ、床面Ｘ（厳密には左隣接面ＸＬおよび右隣接面ＸＲ）のうちのいずれかを重点的に掃除することができ、使い勝手が良い。
【００５９】
図８は、変形例１に係る掃除機１の要部右側面図である。図９は、変形例２に係る掃除機１の要部右側面図である。
図８に示すように、掃除機１は、付属部品としてスタンド６１を備えている。スタンド６１は、上面に窪み６２が形成されたトレイ形状である。
布団の掃除を行う場合には、スタンド６１は、図８に示すように、レールユニット３の後端部（図８における右端部）に配置されている。
【００６０】
布団の掃除を行わない場合には、図示しないが、まず、本体２が、レールユニット３（図１参照）から取り外され、レールユニット３が折り畳まれる。そして、折り畳まれたレールユニット３が、スタンド６１の窪み６２の後側（図８における右側）部分に上から差し込まれるとともに、本体２が、窪み６２の前側（図８における左側）部分に上から差し込まれる。このとき、本体２では、天面４が前側を向き、底面１７が後側を向く。
【００６１】
このようにレールユニット３および本体２がセットされたスタンド６１は、たとえば、部屋の隅（壁際）等に配置される。
そして、スタンド６１には、コードリール６３が内蔵されている。コードリール６３は、ドラム形状であり、その外周面において、上述したコード１６を巻き取ることができる。
【００６２】
詳しくは、コード１６は、スタンド６１と上述した電源（図示せず）とをつなぐ第１コード１６Ａと、コードリール６３を介して第１コード１６Ａに対して電気的に接続されてスタンド６１と本体２とをつなぐ第２コード１６Ｂとを含んでおり、第２コード１６Ｂがコードリール６３によって巻き取られる。
そして、布団の掃除の際に、本体２が上述した後退位置から前進することでスタンド６１から離れると、第２コード１６Ｂがコードリール６３から引き出される。この際、コードリール６３は、第２コード１６Ｂを巻き取るように巻きばね等（図示せず）によって常に付勢されているので、引き出された第２コード１６Ｂは、所定の張力が付与されることにより、弛んでいない。そのため、本体２が後退位置へ戻るためにスタンド６１へ接近するときに、コードリール６３から引き出されていた第２コード１６Ｂが絡まることで本体２が動けなくなるような不具合を防止できる。
【００６３】
そして、このような第２コード１６Ｂが絡まる不具合をなくすために、図９に示すように第２コード１６Ｂ自体を省くことが考えられる。
この場合、図９に示すように本体２が後退位置にある状態で、本体２は、スタンド６１に接触している。
ここで、本体２およびスタンド６１のそれぞれにおいて、互いに接触する箇所には、電極６４が設けられている。本体２の電極６４を本体電極６４Ａとし、スタンド６１の電極６４をスタンド電極６４Ｂという。
【００６４】
この場合、本体２には、本体２内の電気部品（上述した電動送風機４４（図６参照）や制御手段（図示せず）等）に対して電気的に接続された充電池（図示せず）が内蔵されており、本体電極６４Ａは、この充電池（図示せず）に対して電気的に接続されている。スタンド電極６４Ｂは、第１コード１６Ａに対して電気的に接続されている。
本体２が後退位置にある状態では、本体電極６４Ａとスタンド電極６４Ｂとが互いに接触しており、上述した電源（図示せず）からの電力が、第１コード１６Ａ、スタンド電極６４Ｂおよび本体電極６４Ａを順に介して本体２の充電池（図示せず）に供給されることで、この充電池（図示せず）が充電される。つまり、スタンド６１が、本体２の充電池（図示せず）に対する充電器をなしている。
【００６５】
そのため、布団の掃除の際には、上記変形例１（図８参照）とは異なり、第２コード１６Ｂ（図８参照）で本体２に常時電力を供給しなくても、本体２は、充電池（図示せず）に蓄えられた電力によって作動することができる。
この発明は、以上で説明した実施形態に限定されるものではなく、請求項記載の範囲内において種々の変更が可能である。
【符号の説明】
【００６６】
１      布団用電気掃除機
２      本体
４      天面
８      吸込口
１７    底面
１８    脚部
１８Ａ  底面
２５    レール
２７    ラックギヤ
２８    ピニオンギヤ
３５    補助吸込口
４１    風路
４４    電動送風機
４５    ブラシ
４７    弁
Ｓ      敷布団
Ｋ      掛布団
【図１】
2010194122.tif 000003
【図２】
2010194122.tif 000004
【図３】
2010194122.tif 000005
【図４】
2010194122.tif 000006
【図５】
2010194122.tif 000007
【図６】
2010194122.tif 000008
【図７】
2010194122.tif 000009
【図８】
2010194122.tif 000010
【図９】
2010194122.tif 000011